(57)【要約】【課題】表示品位を向上することが可能な表示装置を提供する。【解決手段】画像を表示する表示領域の中央領域に位置する第１単位画素及び前記表示領域において前記中央領域よりも外側の周辺領域に位置する第２単位画素を備え、前記第１及び第２単位画素の各々は、第１画素電極と、前記第１画素電極に対向する第１色の第１カラーフィルタと、を備えた第１色画素と、第２画素電極と、前記第２画素電極に対向する第２色の第２カラーフィルタと、を備えた第２色画素と、第３画素電極と、前記第３画素電極に対向する第３色の第３カラーフィルタと、を備えた第３色画素と、第４画素電極と、前記第４画素電極と対向し前記第１乃至第３カラーフィルタの少なくとも１つと同色の着色部と、前記第４画素電極と対向する透明部と、を備えた第４色画素と、を備え、前記第１単位画素における前記着色部の面積は、前記第２単位画素における前記着色部の面積と異なる表示装置。【選択図】      図３
2017032811.tif 000002
【特許請求の範囲】
【請求項１】
画像を表示する表示領域の中央領域に位置する第１単位画素及び前記表示領域において前記中央領域よりも外側の周辺領域に位置する第２単位画素を備え、
前記第１及び第２単位画素の各々は、
第１画素電極と、前記第１画素電極に対向する第１色の第１カラーフィルタと、を備えた第１色画素と、
第２画素電極と、前記第２画素電極に対向する第１色とは異なる第２色の第２カラーフィルタと、を備えた第２色画素と、
第３画素電極と、前記第３画素電極に対向する第１及び第２色とは異なる第３色の第３カラーフィルタと、を備えた第３色画素と、
第４画素電極と、前記第４画素電極と対向し前記第１乃至第３カラーフィルタの少なくとも１つと同色の着色部と、前記第４画素電極と対向する透明部と、を備えた第４色画素と、を備え、
前記第１単位画素における前記着色部の面積は、前記第２単位画素における前記着色部の面積と異なる表示装置。
【請求項２】
第１画素電極、第２画素電極、第３画素電極、及び、第４画素電極を備えた第１基板と、
前記第１乃至第４画素電極と対向する共通電極を備えた第２基板と、
前記第１基板と前記第２基板の間に保持された液晶分子を含む液晶層と、
前記液晶分子の配向を制御する配向制御部と、
前記第１画素電極と対向する第１色の第１カラーフィルタと、
前記第２画素電極と対向する第１色とは異なる第２色の第２カラーフィルタと、
前記第３画素電極と対向する第１及び第２色とは異なる第３色の第３カラーフィルタと、
前記配向制御部と対向する位置からずれて配置されるとともに前記第４画素電極と対向し、前記第１乃至第３カラーフィルタの少なくとも１つと同色の着色部と、
前記第４画素電極と対向する透明部と、
を備えた表示装置。
【請求項３】
前記着色部は、前記第１乃至第３カラーフィルタから離間し、島状に形成された請求項１または２に記載の表示装置。
【請求項４】
前記着色部は、前記第１乃至第３カラーフィルタの何れかと一体的に形成された請求項１または２に記載の表示装置。
【請求項５】
前記着色部は、前記第１カラーフィルタと同色の第１着色部と、
前記第２カラーフィルタと同色の第２着色部と、を備えた請求項１乃至４の何れか１項に記載の表示装置。
【請求項６】
さらに、前記第１乃至第３カラーフィルタ及び前記着色部を覆うと共に、前記透明部に配置されたオーバーコート層を備えた請求項１乃至５の何れか１項に記載の表示装置。
【請求項７】
前記第１単位画素における前記着色部の色は、前記第２単位画素における前記着色部の色と異なる請求項１に記載の表示装置。
【請求項８】
前記第１乃至第４画素電極を備えた第１基板と、
前記第１基板と対向配置された第２基板と、
前記第１基板と前記第２基板との間に保持された液晶層と、をさらに備えた請求項１に記載の表示装置。
【発明の詳細な説明】
【技術分野】
【０００１】
本発明の実施形態は、表示装置に関する。
【背景技術】
【０００２】
近年、液晶表示装置等の表示装置は各種分野で利用されている。カラー表示装置は、赤色のカラーフィルタが配置された赤色画素、緑色のカラーフィルタが配置された緑色画素、及び青色のカラーフィルタが配置された青色画素を備えている。さらに、これらの３色の色画素に加えて、表示装置の透過率を向上する目的で白色画素を備える技術が知られている。
【０００３】
しかしながら、白色画素により表示される白色の色度が、赤緑青色画素の加法混色により表示される白色の色度からずれ、ホワイトバランスの不良が生じる虞がある。そこで、白色画素により表示される白色の色度を制御するために、白色画素に島状のカラーフィルタを配置したり、隣接する色画素から白色画素の開口部に延出したカラーフィルタを設けたりする技術が知られている。
【先行技術文献】
【特許文献】
【０００４】
【特許文献１】特開２０１３−１９５９１９号公報
【特許文献２】国際公開第２０１４／００２９８２号
【特許文献３】特開２００７−３３７４４号公報
【発明の概要】
【発明が解決しようとする課題】
【０００５】
本実施形態の目的は、表示品位を向上することが可能な表示装置を提供することにある。
【課題を解決するための手段】
【０００６】
本実施形態によれば、
画像を表示する表示領域の中央領域に位置する第１単位画素及び前記表示領域において前記中央領域よりも外側の周辺領域に位置する第２単位画素を備え、前記第１及び第２単位画素の各々は、第１画素電極と、前記第１画素電極に対向する第１色の第１カラーフィルタと、を備えた第１色画素と、第２画素電極と、前記第２画素電極に対向する第１色とは異なる第２色の第２カラーフィルタと、を備えた第２色画素と、第３画素電極と、前記第３画素電極に対向する第１及び第２色とは異なる第３色の第３カラーフィルタと、を備えた第３色画素と、第４画素電極と、前記第４画素電極と対向し前記第１乃至第３カラーフィルタの少なくとも１つと同色の着色部と、前記第４画素電極と対向する透明部と、を備えた第４色画素と、を備え、前記第１単位画素における前記着色部の面積は、前記第２単位画素における前記着色部の面積と異なる表示装置が提供される。
【０００７】
また、本実施形態によれば、
第１画素電極、第２画素電極、第３画素電極、及び、第４画素電極を備えた第１基板と、前記第１乃至第４画素電極と対向する共通電極を備えた第２基板と、前記第１基板と前記第２基板の間に保持された液晶分子を含む液晶層と、前記液晶分子の配向を制御する配向制御部と、前記第１画素電極と対向する第１色の第１カラーフィルタと、前記第２画素電極と対向する第１色とは異なる第２色の第２カラーフィルタと、前記第３画素電極と対向する第１及び第２色とは異なる第３色の第３カラーフィルタと、前記配向制御部と対向する位置からずれて配置されるとともに前記第４画素電極と対向し、前記第１乃至第３カラーフィルタの少なくとも１つと同色の着色部と、前記第４画素電極と対向する透明部と、を備えた表示装置が提供される。
【図面の簡単な説明】
【０００８】
【図１】図１は、本実施形態の表示装置を構成する表示パネルの構成を示す図である。
【図２】図２は、図１に示した表示パネルの画素構造を示す図である。
【図３】図３は、図１に示した中央領域における単位画素及び周辺領域における単位画素の構成を示す図である。
【図４】図４は、図３（ａ）の線ＩＶ−ＩＶに沿った表示パネルを示す断面図である。
【図５】図５は、第１変形例に係る単位画素の構成を示す平面図である。
【図６】図６は、第２変形例に係る単位画素の構成を示す平面図である。
【図７】図７は、第３変形例に係る単位画素の構成を示す平面図である。
【図８】図８は、第４変形例に係る単位画素の構成を示す平面図である。
【図９】図９は、第５変形例に係る単位画素の構成を示す平面図である。
【図１０】図１０は、第６変形例に係る単位画素の構成を示す平面図である。
【図１１】図１１は、第７変形例に係る表示パネルの画素構造を示す平面図である。
【図１２】図１２は、第８変形例に係る単位画素の構成を示す平面図である。
【図１３】図１３は、赤緑青画素で表示した白色の色度と、白色画素で表示した白色の色度の差を表す色度表を示す図である。
【図１４】図１４は、第９変形例に係る表示装置の構成を示す断面図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
図１は、本実施形態の表示装置１を構成する表示パネルＰＮＬの構成を示す図である。なお、図１では、一例として表示装置１が液晶表示パネルを有する場合について説明する。
【００１１】
すなわち、表示装置１は、表示パネルＰＮＬと、表示パネルＰＮＬに接続された駆動ＩＣチップ２及びフレキシブル配線基板３と、を備えている。表示パネルＰＮＬは、アレイ基板（第１基板）ＡＲと、アレイ基板ＡＲに対向して配置された対向基板（第２基板）ＣＴと、アレイ基板ＡＲと対向基板ＣＴとの間に保持された液晶層（後述する液晶層ＬＱ）と、を備えている。アレイ基板ＡＲは、所定のセルギャップを介して、シール材ＳＥによって対向基板ＣＴと貼り合わせられている。セルギャップは、アレイ基板ＡＲまたは対向基板ＣＴに形成された図示しない柱状のスペーサによって形成されている。
【００１２】
表示パネルＰＮＬは、シール材ＳＥによって囲まれた内側に、画像を表示するアクティブエリア（表示領域）ＡＣＴを備えている。アクティブエリアＡＣＴは、例えば、略長方形状に形成される。表示パネルＰＮＬは、アクティブエリアＡＣＴに、中央領域Ａ１及び周辺領域Ａ２を備えている。中央領域Ａ１は、マトリクス状に配置された複数の単位画素（第１単位画素）ＰＵ１によって構成されている。周辺領域Ａ２は、中央領域Ａ１より外側に位置し、マトリクス状に配置された複数の単位画素（第２単位画素）ＰＵ２によって構成されている。これらの単位画素ＰＵ１及びＰＵ２は、アクティブエリアＡＣＴに表示されるカラー画像を構成する最小単位である。
【００１３】
駆動ＩＣチップ２及びフレキシブル配線基板３などの表示パネルＰＮＬの駆動に必要な信号供給源は、アクティブエリアＡＣＴよりも外側の周辺エリアＰＲＰに位置している。図示した例では、駆動ＩＣチップ２及びフレキシブル配線基板３は、対向基板ＣＴの基板端部ＣＴＥよりも外側に延出したアレイ基板ＡＲの実装部ＭＴに実装されている。周辺エリアＰＲＰは、アクティブエリアＡＣＴを囲むエリアであり、シール材ＳＥが配置されるエリアを含み、一例では矩形枠状に形成されている。
【００１４】
図２は、図１に示した表示パネルＰＮＬの画素構造を示す図である。ここでは、互いに交差する第１方向Ｘ及び第２方向Ｙで規定されるＸ−Ｙ平面における平面図を示している。なお、本明細書において、第１方向Ｘ及び第２方向Ｙとは、図中の矢印の方向に限定されるものではなく、矢印の１８０度反対の方向も含むものとする。
【００１５】
表示パネルＰＮＬは、ゲート配線Ｇ１乃至Ｇ２、ソース配線Ｓ１乃至Ｓ５、画素電極ＰＥ１乃至ＰＥ４、スイッチング素子ＳＷ１乃至ＳＷ４、共通電極ＣＥを備えている。ここで、ゲート配線Ｇ１乃至Ｇ２、ソース配線Ｓ１乃至Ｓ５、画素電極ＰＥ１乃至ＰＥ４、及び、スイッチング素子ＳＷ１乃至ＳＷ４は、図１に示したアレイ基板ＡＲに備えられている。なお、スイッチング素子については、詳述しないが、例えば、非晶質シリコン、多結晶シリコン、酸化物半導体などによって形成された半導体層を備えた薄膜トランジスタによって形成されている。薄膜トランジスタは、半導体層よりも下層（図４に示す第１絶縁基板側）にゲート電極を備えたボトムゲート型であっても良いし、半導体層よりも上層（図４に示す液晶層側）にゲート電極を備えたトップゲート型であっても良い。
【００１６】
図１に示した単位画素ＰＵ１及びＰＵ２の各々は、画素（第１色画素）ＰＸ１、画素（第２色画素）ＰＸ２、画素（第３色画素）ＰＸ３、及び、画素（第４色画素）ＰＸ４を備えている。画素ＰＸ１、画素ＰＸ２、画素ＰＸ３、及び、画素ＰＸ４は、この順に第１方向Ｘに沿って並んでいる。これらの画素ＰＸ１乃至ＰＸ４は、何れも第２方向Ｙに沿って延出した長方形状であり、図示した例では、何れも同等のサイズに形成されている。画素ＰＸ１乃至ＰＸ４は、後述するように、何れも異なる色を表示する画素である。
【００１７】
ゲート配線Ｇ１乃至Ｇ２は、第１方向Ｘに沿ってそれぞれ延出している。ソース配線Ｓ１乃至Ｓ５は、第２方向Ｙに沿って延出し、それぞれゲート配線Ｇ１及びゲート配線Ｇ２と交差している。画素ＰＸ１は、ゲート配線Ｇ１及びゲート配線Ｇ２と、ソース配線Ｓ１及びソース配線Ｓ２によって区画され、スイッチング素子ＳＷ１及び画素電極（第１画素電極）ＰＥ１を備えている。画素ＰＸ２は、ゲート配線Ｇ１及びゲート配線Ｇ２と、ソース配線Ｓ２及びソース配線Ｓ３によって区画され、スイッチング素子ＳＷ２及び画素電極（第２画素電極）ＰＥ２を備えている。画素ＰＸ３は、ゲート配線Ｇ１及びゲート配線Ｇ２と、ソース配線Ｓ３及びソース配線Ｓ４によって区画され、スイッチング素子ＳＷ３及び画素電極（第３画素電極）ＰＥ３を備えている。画素ＰＸ４は、ゲート配線Ｇ１及びゲート配線Ｇ２と、ソース配線Ｓ４及びソース配線Ｓ５によって区画され、スイッチング素子ＳＷ４及び画素電極（第４画素電極）ＰＥ４を備えている。
【００１８】
画素ＰＸ１において、スイッチング素子ＳＷ１は、ゲート配線Ｇ２及びソース配線Ｓ１に電気的に接続されている。画素電極ＰＥ１は、スイッチング素子ＳＷ１と電気的に接続されている。画素ＰＸ２において、スイッチング素子ＳＷ２は、ゲート配線Ｇ２及びソース配線Ｓ２に電気的に接続されている。画素電極ＰＥ２は、スイッチング素子ＳＷ２に電気的に接続されている。
【００１９】
画素ＰＸ３において、スイッチング素子ＳＷ３は、ゲート配線Ｇ２及びソース配線Ｓ３に電気的に接続されている。画素電極ＰＥ３は、スイッチング素子ＳＷ３に電気的に接続されている。画素ＰＸ４において、スイッチング素子ＳＷ４は、ゲート配線Ｇ２及びソース配線Ｓ４に電気的に接続されている。画素電極ＰＥ４は、スイッチング素子ＳＷ４に電気的に接続されている。スイッチング素子ＳＷ１乃至ＳＷ４は、例えば薄膜トランジスタ（ＴＦＴ）である。コモン電位の共通電極ＣＥは、アレイ基板ＡＲまたは対向基板ＣＴに備えられ、画素電極ＰＥ１乃至ＰＥ４と対向する。
【００２０】
なお、表示パネルＰＮＬの詳細な構成については説明を省略するが、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの基板主面（Ｘ−Ｙ平面）の法線に沿った縦電界を利用するモード、あるいは、基板主面に対して斜め方向に傾斜した傾斜電界を利用する表示モードでは、画素電極ＰＥがアレイ基板ＡＲに備えられる一方で、共通電極ＣＥが対向基板ＣＴに備えられている。また、ＩＰＳ（Ｉｎ−Ｐｌａｎｅ  Ｓｗｉｔｃｈｉｎｇ）モード、ＩＰＳモードの１つであるＦＦＳ（Ｆｒｉｎｇｅ  Ｆｉｅｌｄ  Ｓｗｉｔｃｈｉｎｇ）モードなどの基板主面に沿った横電界を利用するモードでは、画素電極ＰＥ及び共通電極ＣＥの双方がアレイ基板ＡＲに備えられている。さらには、表示パネルＰＮＬは、上記の縦電界、横電界、及び、傾斜電界を適宜組み合わせて利用する表示モードに対応した構成を有していても良い。
【００２１】
図３は、図１に示した中央領域Ａ１における単位画素ＰＵ１及び周辺領域Ａ２における単位画素ＰＵ２の構成を示す図である。図３の（ａ）は、図１に示した中央領域Ａ１における単位画素ＰＵ１の構成を示している。図３の（ｂ）は、図１に示した周辺領域Ａ２における単位画素ＰＵ２の構成を示している。
【００２２】
図３の（ａ）に示したように、表示パネルＰＮＬは、遮光層ＢＭ、カラーフィルタＣＦ１、ＣＦ２、ＣＦ３、ＣＦ１１、着色部Ｂ１、透明部Ｔ等を備えている。遮光層ＢＭは、各画素ＰＸの境界に配置されている。各遮光層ＢＭは、第２方向Ｙに沿って延出している。図示した例では、遮光層ＢＭは、図２に示したソース配線Ｓ１乃至Ｓ５と対向するストライプ状に形成されているが、ゲート配線Ｇ及びソース配線Ｓの双方の上方に位置するような格子状に形成されていても良い。画素ＰＸ１乃至ＰＸ４は、それぞれ遮光層ＢＭの内側の領域であって、実質的に光が透過可能な領域に相当する。
【００２３】
カラーフィルタ（第１カラーフィルタ）ＣＦ１、カラーフィルタ（第２カラーフィルタ）ＣＦ２、カラーフィルタ（第３カラーフィルタ）ＣＦ３は、この順に第１方向Ｘに沿って並んでいる。これらのカラーフィルタＣＦ１乃至ＣＦ３は、何れも第２方向Ｙに沿って延在し、帯状に形成されている。カラーフィルタＣＦ１乃至ＣＦ３は、それぞれ赤色、緑色、青色の何れかの色のカラーフィルタである。例えば、カラーフィルタＣＦ１は、赤色（Ｒ）のカラーフィルタである。カラーフィルタＣＦ２は、緑色（Ｇ）のカラーフィルタである。カラーフィルタＣＦ３は、青色（Ｂ）のカラーフィルタである。
【００２４】
カラーフィルタＣＦ１は、赤色を表示する画素ＰＸ１に対応して配置されている。カラーフィルタＣＦ２は、緑色を表示する画素ＰＸ２に対応して配置されている。カラーフィルタＣＦ３は、青色を表示する画素ＰＸ３に対応して配置されている。カラーフィルタＣＦ１乃至ＣＦ３は、それぞれの互いに隣接する端部が遮光層ＢＭに重なっている。
【００２５】
単位画素ＵＰ１の第１方向Ｘに隣接する単位画素において、画素ＰＸ１１は、画素ＰＸ１と同一の構成で形成されている。画素ＰＸ１１は、画素ＰＸ４の、画素ＰＸ３と反対側の第１方向Ｘに隣接して配置されている。カラーフィルタＣＦ１１は、カラーフィルタＣＦ１と同一の赤色（Ｒ）のカラーフィルタであり、赤色を表示する画素ＰＸ１１に対応して配置されている。
【００２６】
着色部Ｂ１及び透明部Ｔは、白色を表示する、あるいは、実質的に透明な画素ＰＸ４に配置されている。図示した例では、着色部Ｂ１は、Ｘ−Ｙ平面において、略円形の島状に形成され、画素ＰＸ４の略中央に位置している。なお、着色部Ｂ１の形状は、図示した例に限らず、多角形、楕円形などの島状であっても良い。また、着色部Ｂ１の位置は、画素ＰＸ４の端部であっても良い。また、後述するように、画素ＰＸ４は、複数の着色部を備えていても良い。このような着色部Ｂ１は、カラーフィルタＣＦ１乃至ＣＦ３の何れか１色と同色の材料で形成される。つまり、着色部Ｂ１は、カラーフィルタＣＦ１乃至ＣＦ３のいずれかを形成する際に同時に形成される。透明部Ｔは、画素ＰＸ４において着色部Ｂ１の周辺に位置している。透明部Ｔは、カラーフィルタＣＦ１乃至３のいずれも配置されない領域に相当する。
【００２７】
このような画素ＰＸ４は、後述するバックライトユニットからのバックライト光で照明された際に、透明部Ｔを透過するバックライト光の色（白色）と、着色部Ｂ１を透過したバックライト光の色とを合成した色を表示する。つまり、画素ＰＸ４は、白色を表示する画素であるが、その表示色の色度は、バックライト光そのものの色の色度とは異なる。換言すると、着色部Ｂ１は、バックライト光の色度を調整する機能を有している。このため、画素ＰＸ１乃至ＰＸ３でそれぞれ表示される赤色、緑色、及び、青色を合成することによって得られる白色の色度と、白色光であるバックライト光の色度とが相違する場合であっても、単位画素ＰＵ１において、着色部Ｂ１を備えた画素ＰＸ４で表示される白色の色度と、画素ＰＸ１乃至ＰＸ３で表示される白色の色度とを略同等に揃えることが可能となる。
【００２８】
なお、着色部Ｂ１の色は、カラーフィルタＣＦ１乃至ＣＦ３のいずれかの色を任意に選択することが可能であり、画素ＰＸ４が複数の着色部を備えている構成では、複数の色を組み合わせることが可能である。また、画素ＰＸ４における着色部Ｂ１の占める面積（あるいは、透過部Ｔと着色部Ｂ１との面積比）は、任意に選択することが可能である。一例では、画素ＰＸ１乃至ＰＸ３で表示される白色の色度と、バックライト光の色度との差に基づいて、着色部Ｂ１の色の選択、色の組み合わせ、面積などが決定される。
【００２９】
図３の（ｂ）に示す単位画素ＰＵ２の構成は、図３の（ａ）に示した単位画素ＰＵ１の構成と比較すると、Ｘ−Ｙ平面において着色部Ｂ２の面積が着色部Ｂ１の面積と相違している。図示した例では、着色部Ｂ２は、着色部Ｂ１よりも大きな面積を有するように形成されている。なお、図３に示した例は、着色部Ｂ１と着色部Ｂ２とが同一個数（例えば１個）であって、それらの面積が異なる場合に相当するが、着色部Ｂ１及びＢ２が同一サイズに形成され、単位画素ＰＵ１に配置される着色部Ｂ１の個数が単位画素ＰＵ２に配置される着色部Ｂ２の個数と異なっていても良い。つまり、周辺領域Ａ２の単位画素ＰＵ２において画素ＰＸ４内の着色部Ｂ２の占める面積は、中央領域Ａ１の単位画素ＰＵ１において画素ＰＸ４内の着色部Ｂ１の占める面積が相違している。このような着色部Ｂ２は、着色部Ｂ１と同様に、カラーフィルタＣＦ１乃至ＣＦ３の何れか１色と同色の材料で形成される。なお、着色部Ｂ２の色は、着色部Ｂ１の色と異なっていても良い。このような単位画素ＰＵ２においても、上記の単位画素ＰＵ１と同様に、着色部Ｂ２を備えた画素ＰＸ４で表示される白色の色度と、画素ＰＸ１乃至ＰＸ３で表示される白色の色度とを揃えることが可能となる。
【００３０】
一方で、中央領域Ａ１における単位画素ＰＵ１の画素ＰＸ４によって表示される白色の色度は、周辺領域Ａ２における単位画素ＰＵ２の画素ＰＸ４によって表示される白色の色度とは異なる。このため、中央領域Ａ１と周辺領域Ａ２とのセルギャップの相違などに起因して、周辺領域Ａ２が中央領域Ａ１とは異なる色味を呈する場合であっても、単位画素ＰＵ１によって表示される色の色度と、単位画素ＰＵ２によって表示される色の色度とを揃えることが可能となる。
【００３１】
図４は、図３（ａ）の線ＸＩＶ−ＩＶに沿った表示パネルＰＮＬを示す断面図である。ここでは、単位画素ＰＵ１に関する構成を説明する。
【００３２】
アレイ基板ＡＲは、ガラス基板などの透明な第１絶縁基板１０を用いて形成されている。アレイ基板ＡＲは、第１絶縁基板１０の対向基板ＣＴに対向する側に、図示しないゲート配線、ソース配線、スイッチング素子の他に、画素電極ＰＥ１乃至ＰＥ４、ＰＥ１１、第１配向膜ＡＬ１等を備えている。
【００３３】
第１絶縁膜１１は、第１絶縁基板１０を覆っている。なお、図示しないゲート配線、ソース配線、スイッチング素子などは、第１絶縁基板１０と第１絶縁膜１１との間に配置されている。画素電極ＰＥ１１乃至ＰＥ４は、第１絶縁膜１１の上に形成されている。画素電極ＰＥ１乃至ＰＥ４は、例えば、インジウム・ティン・オキサイド（ＩＴＯ）やインジウム・ジンク・オキサイド（ＩＺＯ）などの透明な導電材料によって形成されている。画素電極ＰＥ１乃至ＰＥ４は、第１配向膜ＡＬ１によって覆われている。第１配向膜ＡＬ１は、第１絶縁膜１１とも接している。第１配向膜ＡＬ１は、アレイ基板ＡＲの液晶層ＬＱに接する面に配置されている。
【００３４】
一方、対向基板ＣＴは、ガラス基板などの透明な第２絶縁基板２０を用いて形成されている。対向基板ＣＴは、第２絶縁基板２０のアレイ基板ＡＲに対向する側に、遮光層ＢＭ、カラーフィルタＣＦ１乃至ＣＦ３、ＣＦ１１、着色部Ｂ１、透明部Ｔ、オーバーコート層ＯＣ、共通電極ＣＥ、第２配向膜ＡＬ２等を備えている。
【００３５】
遮光層ＢＭは、第２絶縁基板２０のアレイ基板ＡＲに対向する内面に形成されている。遮光層ＢＭは、黒色の樹脂材料や、遮光性の金属材料によって形成されている。カラーフィルタＣＦ１乃至ＣＦ３のそれぞれは、第２絶縁基板２０の内面に形成されている。カラーフィルタＣＦ１は、赤色に着色された樹脂材料によって形成されている。カラーフィルタＣＦ２は、緑色に着色された樹脂材料によって形成されている。カラーフィルタＣＦ３は、青色に着色された樹脂材料によって形成されている。カラーフィルタＣＦ１は、画素電極ＰＥ１と対向している。カラーフィルタＣＦ２は、画素電極ＰＥ２と対向している。カラーフィルタＣＦ３は、画素電極ＰＥ３と対向している。
【００３６】
着色部Ｂ１は、第２絶縁基板２０の内面に形成されている。着色部Ｂ１は、カラーフィルタＣＦ１乃至ＣＦ３の何れか１色と同色の同一樹脂材料によって形成されている。着色部Ｂ１は、画素電極ＰＥ４と対向している。
【００３７】
オーバーコート層ＯＣは、カラーフィルタＣＦ１乃至ＣＦ３と着色部Ｂ１を覆っている。オーバーコート層ＯＣは、透明な樹脂材料によって形成されている。透明部Ｔは、着色部Ｂ１の周辺において、オーバーコート層ＯＣによって形成されている。透明部Ｔは、画素電極ＰＥ４と対向している。
【００３８】
共通電極ＣＥは、オーバーコート層ＯＣのアレイ基板ＡＲに対向する内面に形成されている。共通電極ＣＥは、ＩＴＯやＩＺＯなどの透明な導電材料によって形成されている。共通電極ＣＥは、第２配向膜ＡＬ２によって覆われている。第２配向膜ＡＬ２は、対向基板ＣＴの液晶層ＬＱに接する面に配置されている。
【００３９】
上述したようなアレイ基板ＡＲと対向基板ＣＴとは、第１配向膜ＡＬ１及び第２配向膜ＡＬ２が向かい合うように配置されている。液晶層ＬＱは、これらのアレイ基板ＡＲの第１配向膜ＡＬ１と対向基板ＣＴの第２配向膜ＡＬ２との間に形成されたセルギャップに封入されている。
【００４０】
このような構成の表示パネルＰＮＬに対して、その背面側には、バックライトユニットＢＬが配置されている。バックライトユニットＢＬとしては、種々の形態が適用可能であるが、詳細な構造については説明を省略する。
【００４１】
アレイ基板ＡＲの外面すなわち第１絶縁基板１０の外面には、第１偏光板ＰＬ１を含む第１光学素子ＯＤ１が配置されている。対向基板ＣＴの外面すなわち第２絶縁基板２０の外面には、第２偏光板ＰＬ２を含む第２光学素子ＯＤ２が配置されている。
【００４２】
本実施形態によれば、白色画素である画素ＰＸ４は、カラーフィルタＣＦ１乃至ＣＦ３の何れか１色と同色の同一材料で形成された着色部Ｂ１と、透明部Ｔとを備えている。このため、画素ＰＸ４に表示される白色の色度を調整することが可能となる。したがって、画素ＰＸ４により表示される白色の色度を、画素ＰＸ１乃至ＰＸ３の加法混色により表示される白色の色度と略同一にすることが可能となる。これにより、ホワイトバランスを容易に制御することが可能となる。さらに、着色部Ｂ１は、カラーフィルタＣＦ１乃至ＣＦ３の何れか１つと同一工程で形成されるため、着色部Ｂ１を形成するための別途の製造工程が不要であり、製造コストの増加を抑制することができる。
【００４３】
また、中央領域Ａ１の単位画素ＰＵ１における着色部Ｂ１の面積は、周辺領域Ａ２の単位画素ＰＵ２における着色部Ｂ２の面積と異なっている。このため、中央領域Ａ１及び周辺領域Ａ２で異なる色味を呈する場合であっても、中央領域Ａ１及び周辺領域Ａ２でそれぞれ表示される白色の色度を略同一にすることが可能となる。
【００４４】
したがって、表示品位を向上することが可能な表示装置を提供することができる。
【００４５】
なお、本実施形態においては、周辺領域Ａ２の着色部Ｂ２の面積が中央領域Ａ１の着色部Ｂ１の面積より大きい場合を例に説明したが、中央領域Ａ１の着色部Ｂ１の面積が周辺領域Ａ２の着色部Ｂ２の面積より大きく形成されていてもよい。また、着色部Ｂ１またはＢ２は全ての単位画素に形成されている必要はなく、例えば、２つの単位画素のうち１つの単位画素に形成されていてもよい。また、中央領域Ａ１の単位画素ＰＵ１における着色部Ｂ１と、周辺領域Ａ２の単位画素ＰＵ２における着色部Ｂ２との大小関係について説明したが、上記の単位画素ＰＵ１と単位画素ＰＵ２との間に位置する単位画素では、着色部Ｂ１と着色部Ｂ２との間の面積を有していることが望ましい。つまり、表示領域の中央領域から周辺領域に向かって、各単位画素の着色部の面積が段階的に変化する（段階的に増加または減少する）ことが望ましい。
【００４６】
次に、本実施形態の変形例について説明する。
図５は、第１変形例に係る単位画素ＰＵの構成を示す平面図である。図５に示す単位画素ＰＵの構成は、図３に示した単位画素ＰＵ１の構成と比較すると、複数の着色部が形成されているという点で相違している。
【００４７】
着色部Ｂ１１及びＢ１２は、カラーフィルタＣＦ３及びＣＦ１１の間に形成され、画素ＰＸ４に配置されている。着色部Ｂ１１及びＢ１２は、カラーフィルタＣＦ１乃至ＣＦ３の何れかと同色に形成される。着色部Ｂ１１及びＢ１２は、互いに違う色の材料によって形成されても良いし、同色の材料によって形成されても良い。着色部Ｂ１１は、例えば、カラーフィルタＣＦ１と同色の材料によって形成され、着色部Ｂ１２は、例えば、カラーフィルタＣＦ２と同色の材料によって形成されている。透明部Ｔは、画素ＰＸ４において、着色部Ｂ１１及びＢ１２の周辺に形成される。
【００４８】
このような第１変形例においても、上記実施形態と同様の効果が得られる。また、異なる色の着色部Ｂ１１及びＢ１２を組み合わせることによって、色度の調整範囲を拡大することが可能となる。
【００４９】
図６は、第２変形例に係る単位画素ＰＵの構成を示す平面図である。図６に示す単位画素ＰＵの構成は、図３に示した単位画素ＰＵ１の構成と比較すると、着色部の形状が相違している。
【００５０】
着色部Ｂ２０は、画素ＰＸ４において島状に形成されているが、図示した例では、第２方向Ｙに延出した略長方形状の画素ＰＸ４の形状に合わせて、第２方向Ｙに延出している。着色部Ｂ２０は、カラーフィルタＣＦ１乃至ＣＦ３の何れかと同色に形成される。
このような第２変形例においても、上記実施形態と同様の効果が得られる。
【００５１】
図７は、第３変形例に係る単位画素ＰＵの構成を示す平面図である。図７に示す単位画素ＰＵの構成は、図３に示した単位画素ＰＵ１の構成と比較すると、着色部の形状が相違している。
【００５２】
画素ＰＸ４に配置された着色部Ｂ３０は、画素ＰＸ４に隣接する一方の画素のカラーフィルタと一体的に形成されている。図示した例では、着色部Ｂ３０は、画素ＰＸ３のカラーフィルタＣＦ３と一体的に形成されている。つまり、カラーフィルタＣＦ３は、画素ＰＸ３から遮光層ＢＭを乗り越えて、第１方向Ｘに画素ＰＸ４まで延出し、着色部Ｂ３０が形成されている。着色部Ｂ３０は、カラーフィルタＣＦ３と同色の材料によって形成されている。着色部Ｂ３０は、画素ＰＸ４において、画素ＰＸ３に隣接する側に配置されている。透明部Ｔは、画素ＰＸ４において、着色部Ｂ３０とカラーフィルタＣＦ１１との間に形成されている。
【００５３】
図８は、第４変形例に係る単位画素ＰＵの構成を示す平面図である。図８に示す単位画素ＰＵの構成は、図７に示した第３変形例の単位画素ＰＵの構成と比較すると、着色部Ｂ３０に加えて、着色部Ｂ３１が形成されている点で相違している。
【００５４】
画素ＰＸ４において、着色部Ｂ３１は、画素ＰＸ４に隣接する他方の画素のカラーフィルタと一体的に形成されている。図示した例では、着色部Ｂ３０が画素ＰＸ３のカラーフィルタＣＦ３と一体的に形成され、着色部Ｂ３１が画素ＰＸ１１のカラーフィルタＣＦ１１と一体的に形成されている。カラーフィルタＣＦ１１は、画素ＰＸ１１から遮光層ＢＭを乗り越えて、第１方向に画素ＰＸ４まで延出し、着色部Ｂ３１が形成されている。つまり、着色部Ｂ３１は、カラーフィルタＣＦ１１と同色の材料によって形成されている。透明部Ｔは、画素ＰＸ４において、着色部Ｂ３０及びＢ３１の間に形成されている。
このような第４変形例においても、上記実施形態と同様の効果が得られる。
【００５５】
図９は、第５変形例に係る単位画素ＰＵの構成を示す平面図である。図９に示す単位画素ＰＵの構成は、図３に示した単位画素ＰＵ１の構成と比較すると、各画素ＰＸ、遮光層ＢＭ、カラーフィルタＣＦの配置が異なっている。
【００５６】
単位画素ＰＵは、画素ＰＸ２１乃至２６によって構成されている。画素ＰＸ２１、画素ＰＸ２２、及び画素ＰＸ２３はこの順に第１方向Ｘに沿って並んでいる。画素ＰＸ２４は、画素ＰＸ２１の第２方向Ｙに隣接している。画素ＰＸ２５は、画素ＰＸ２４の第１方向Ｘに隣接し、画素ＰＸ２２の第２方向Ｙに隣接している。画素ＰＸ２６は、画素ＰＸ２５の第１方向Ｘに隣接し、画素ＰＸ２３の第２方向Ｙに隣接している。図示した例では、これらの画素ＰＸ２１乃至ＰＸ２６は、いずれも第２方向Ｙに沿って延出した長方形状であり、いずれも同等のサイズに形成されている。
【００５７】
各画素の境界には、遮光層ＢＭが配置されている。図９に示した例では、遮光層ＢＭは、格子状に形成されている。
【００５８】
カラーフィルタＣＦ２１、カラーフィルタＣＦ２２、及びカラーフィルタＣＦ２３は、この順に第１方向Ｘに沿って並んでいる。カラーフィルタＣＦ２３は、単位画素ＰＵにおいて２つのカラーフィルタＣＦ２３ａ及びＣＦ２３ｂを備えている。カラーフィルタＣＦ２１及びＣＦ２２は、いずれも第２方向Ｙに沿って延在し、帯状に形成されている。カラーフィルタＣＦ２３ａ及びＣＦ２３ｂは、それぞれ島状に形成されている。カラーフィルタＣＦ２１乃至ＣＦ２３は、それぞれ赤色、緑色、青色のいずれかの色のカラーフィルタである。図９に示した例では、カラーフィルタＣＦ２１は、赤色（Ｒ）のカラーフィルタである。カラーフィルタＣＦ２２は、緑色（Ｇ）のカラーフィルタである。カラーフィルタＣＦ２３ａ及びＣＦ２３ｂは、青色（Ｂ）のカラーフィルタである。
【００５９】
カラーフィルタＣＦ２１は赤色を表示する画素ＰＸ２１及びＰＸ２４に対応して配置され、カラーフィルタＣＦ２２は緑色を表示する画素ＰＸ２２及びＰＸ２５に対応して配置され、カラーフィルタＣＦ２３ａは青色を表示する画素ＰＸ２３に対応して配置されている。白色を表示する画素ＰＸ２６は、着色部Ｂ４１及びＢ４２を備えている。着色部Ｂ４１は、カラーフィルタＣＦ２３ａと一体的に形成され、着色部Ｂ４１とカラーフィルタＣＦ２３ａは同色の材料によって形成されている。カラーフィルタＣＦ２３ａは、画素ＰＸ２３から遮光層ＢＭを乗り越えて、第２方向Ｙに画素ＰＸ２６まで延出し、着色部Ｂ４１が形成されている。着色部Ｂ４２は、カラーフィルタＣＦ２３ｂと一体的に形成され、着色部Ｂ４２とカラーフィルタＣＦ２３ｂは同色の材料によって形成されている。カラーフィルタＣＦ２３ｂは、画素ＰＸ２６に延出し、着色部Ｂ４２が形成されている。透明部Ｔは、画素ＰＸ２６において、着色部Ｂ４１及びＢ４２の間に形成されている。
このような第５変形例においても、上記実施形態と同様の効果が得られる。
【００６０】
図１０は、第６変形例に係る単位画素ＰＵの構成を示す平面図である。図１０に示す単位画素ＰＵの構成は、図９に示した単位画素ＰＵの構成と比較すると、カラーフィルタＣＦ及び着色部の形状が異なっている。
【００６１】
青色のカラーフィルタＣＦ２３ｃ及びＣＦ２３ｄは、カラーフィルタＣＦ２２の第１方向Ｘに隣接している。青色のカラーフィルタ２３ｃは、画素ＰＸ２３に対応して配置されている。カラーフィルタＣＦ３１は、カラーフィルタＣＦ２１と同色の材料によって形成され、カラーフィルタＣＦ２３ｃ及びＣＦ２３ｄのカラーフィルタＣＦ２２と反対側の第１方向Ｘに隣接している。
【００６２】
着色部Ｂ５１は、カラーフィルタＣＦ２２と一体的に形成され、着色部Ｂ５１はカラーフィルタＣＦ２２と同色の材料によって形成されている。カラーフィルタＣＦ２２は、画素ＰＸ２５から遮光層ＢＭを乗り越えて画素ＰＸ２６に延出し、着色部Ｂ５１が形成されている。着色部Ｂ５２は、カラーフィルタＣＦ３１と一体的に形成され、着色部Ｂ５２とカラーフィルタＣＦ３１は同色の材料によって形成されている。カラーフィルタＣＦ３１は、画素ＰＸ２６に延出し、着色部Ｂ５２が形成されている。透明部Ｔは、画素ＰＸ２６において、着色部Ｂ５１及びＢ５２の間に形成されている。
【００６３】
このような第６変形例においても、上記実施形態と同様の効果が得られる。また、白色を表示する画素ＰＸ２６において、異なる色の着色部Ｂ５１及びＢ５２を組み合わせることによって、色度の調整範囲を拡大することが可能となる。
【００６４】
なお、第５変形例及び第６変形例を組み合わせ、第１方向Ｘの一方もしくは両側から画素ＰＸ２６にカラーフィルタが延出し、第２方向Ｙの一方もしくは両側からカラーフィルタが画素ＰＸ２６に延出し、３色のカラーフィルタによって画素ＰＸ２６に着色部を形成することも可能である。
【００６５】
図１１は、第７変形例に係る表示パネルＰＮＬの画素構造を示す平面図である。第７変形例は、ＶＡモードの液晶表示パネルの構成を示している。図１１に示すように、第７変形例は、図２に示した実施形態の画素構造と比較すると、液晶分子の配向を制御する配向制御部４を備えている点で相違している。
【００６６】
配向制御部４は第１方向Ｘに延出し、第２方向Ｙに延出する画素電極ＰＥ１乃至ＰＥ４の略中央を横切っている。一例では、配向制御部４は、対向基板ＣＴに形成される。配向制御部４は、画素電極ＰＥ１乃至ＰＥ４に対向している。画素電極ＰＥと共通電極ＣＥとの間に電界が形成された際に、配向制御部４の周辺で、アレイ基板ＡＲ或いは対向基板ＣＴの法線に対して傾斜した電界が形成される。つまり、配向制御部４は、ＶＡモードの液晶層においてオン状態での液晶分子の配向方向を決定するための電界の傾きを形成する。配向制御部４は、共通電極ＣＥに形成されたスリットであっても良いし、アレイ基板ＡＲまたは対向基板ＣＴにおいて、液晶層に向かって突出した突出部であっても良い。なお、液晶層は、例えば誘電率異方性が負のネガ型液晶材料によって形成される。
【００６７】
図１２は、第７変形例に係る単位画素ＰＵの構成を示す平面図である。
配向制御部４は、第２方向Ｙに延出するカラーフィルタＣＦ１乃至ＣＦ３に対して略直交している。着色部Ｂ６１及びＢ６２は、配向制御部４と対向する位置からずれて配置され、Ｘ−Ｙ平面において配向制御部４とは重ならない位置に形成されている。
【００６８】
このような第７変形例においても、上記実施形態と同様の効果が得られる。また、ＶＡモードにおいて配向制御部４と重なる位置はほとんど表示に寄与しないが、着色部Ｂ６１及びＢ６２は、配向制御部４と重ならない位置に配置されているため、バックライトユニットからの光が透過し、白色の画素ＰＸ４において色度を調整することが可能となる。
【００６９】
図１３は、赤緑青色画素で表示した白色の色度と、着色部を備えていない白色画素で表示した白色の色度の一例を表す色度図である。
【００７０】
点Ｒは、赤色のカラーフィルタが配置された赤色画素を透過した光の色度である。点Ｇは、緑色のカラーフィルタが配置された緑色画素を透過した光の色度である。点Ｂは、青色のカラーフィルタが配置された青色画素を透過した光の色度である。
【００７１】
点Ｗ１は、赤緑青色画素の加法混色によって表示された白色の色度を示している。点Ｗ１は、表示装置に備えられる赤緑青色のカラーフィルタやセルギャップの厚さ等の表示パネルの仕様によって決定される。点Ｗ２は、白色画素によって表示された白色の色度を示している。点Ｗ２は、バックライトユニットから照射される光によって決定される。一例では、点Ｗ１の色度座標は、例えば（Ｘ、Ｙ）＝（０．３１、０．３３）の点である。点Ｗ２の色度座標は、（Ｘ、Ｙ）＝（０．３２、０．３２）の点である。このような色度の差は、単位画素において白色を表示した際に、画質の低下を招く虞がある。
【００７２】
一方、本実施形態によれば、１色以上の着色部を白色画素内に形成することにより、白色画素の色度を任意の座標に動かすことが可能である。一例では、点Ｗ２に示された色度を有する白色画素に、緑色の着色部及び青色の着色部が形成されることにより、点Ｗ２の白色の色度を点Ｗ１の白色の色度に合わせることが可能である。ここでは、緑色の着色部の面積は、白色画素の面積の１５．５％に形成され、青色の着色部は、白色画素の面積の８．０％に形成されている。これにより、赤緑青色画素の加法混色によって表示された点Ｗ１の白色の色度と、白色画素によって表示された点Ｗ２の白色の色度とがマッチングされ、単位画素における画質の低下を抑制することが可能となる。
【００７３】
図１４は、第９変形例に係る表示パネルの構成を示す断面図である。図１４に示した例では、表示パネルとして、有機エレクトロルミネッセンス（ＥＬ）表示パネルを示している。
【００７４】
アレイ基板ＡＲは、第１絶縁基板１０の内面１０Ａ側に、スイッチング素子ＳＷ１乃至ＳＷ４、有機ＥＬ素子ＯＬＥＤ１乃至ＯＬＥＤ４などを備えている。スイッチング素子ＳＷ１乃至ＳＷ４は、第１絶縁基板１０と第１絶縁膜１１との間に形成されている。反射層ＲＬは、第１絶縁膜１１の上に形成されている。
【００７５】
有機ＥＬ素子ＯＬＥＤ１乃至ＯＬＥＤ４は、第１絶縁膜１１の上に形成されている。有機ＥＬ素子ＯＬＥＤ１乃至ＯＬＥＤ４は、いずれも対向基板ＣＴの側に向かって白色光を放射するトップエミッションタイプとして構成されている。このような有機ＥＬ素子ＯＬＥＤ１乃至ＯＬＥＤ４は、いずれも同一構造である。図示した例では、有機ＥＬ素子ＯＬＥＤ１はスイッチング素子ＳＷ１と電気的に接続された画素電極ＰＥ１を備え、有機ＥＬ素子ＯＬＥＤ２はスイッチング素子ＳＷ２と電気的に接続された画素電極ＰＥ２を備え、有機ＥＬ素子ＯＬＥＤ３はスイッチング素子ＳＷ３と電気的に接続された画素電極ＰＥ３を備え、有機ＥＬ素子ＯＬＥＤ４はスイッチング素子ＳＷ４と電気的に接続された画素電極ＰＥ４を備えている。画素電極ＰＥ１乃至ＰＥ４は、それぞれ反射層ＲＬの上に形成されている。
【００７６】
有機ＥＬ素子ＯＬＥＤ１乃至ＯＬＥＤ４は、さらに、有機発光層ＯＲＧ及び共通電極（陰極）ＣＥを備えている。有機発光層ＯＲＧは、画素電極ＰＥ１乃至ＰＥ４の上にそれぞれ位置している。共通電極ＣＥは、有機発光層ＯＲＧの上に位置している。図示した例では、有機ＥＬ素子ＯＬＥＤ１乃至ＯＬＥＤ４は、それぞれリブ１５によって区画されている。なお、図示しないが、有機ＥＬ素子ＯＬＥＤ１乃至ＯＬＥＤ４は、透明な封止膜によって封止されていることが望ましい。
【００７７】
対向基板ＣＴは、第２絶縁基板３０の内面３０Ａ側に、カラーフィルタＣＦ１乃至ＣＦ３、着色部Ｂ７０等を備えている。カラーフィルタＣＦ１は、有機ＥＬ素子ＯＬＥＤ１の画素電極ＰＥ１と対向し、白色のうちの青色波長の光を透過する青色カラーフィルタである。カラーフィルタＣＦ２は、有機ＥＬ素子ＯＬＥＤ２の画素電極ＰＥ２と対向し、白色のうちの緑色波長の光を透過する緑色カラーフィルタである。カラーフィルタＣＦ３は、有機ＥＬ素子ＯＬＥＤ３の画素電極ＰＥ３と対向し、白色のうちの赤色波長の光を透過する赤色カラーフィルタである。
【００７８】
着色部Ｂ７０は、有機ＥＬ素子ＯＬＥＤ４の画素電極ＰＥ４と対向している。着色部Ｂ７０は、カラーフィルタＣＦ１乃至ＣＦ２の何れか１色と同色の材料によって形成されている。透明部Ｔは、画素電極ＰＥ４と対向する位置に形成されている。
【００７９】
このようなアレイ基板ＡＲと対向基板ＣＴとは、透明な接着剤４１によって接着されている。
【００８０】
このような表示装置においては、有機ＥＬ素子ＯＬＥＤ１乃至ＯＬＥＤ４のそれぞれが発光した際、それぞれの白色光は、カラーフィルタＣＦ１、カラーフィルタＣＦ２、カラーフィルタＣＦ３、着色部Ｂ７０、及び透明部Ｔを介してそれぞれ外部に出射される。このとき、有機ＥＬ素子ＯＬＥＤ１から放射された白色光のうち、青色波長の光がカラーフィルタＣＦ１を透過する。また、有機ＥＬ素子ＯＬＥＤ２から放射された白色光のうち、緑色波長の光がカラーフィルタＣＦ２を透過する。また、有機ＥＬ素子ＯＬＥＤ３から放射された白色光のうち、赤色波長の光がカラーフィルタＣＦ３を透過する。また、有機ＥＬ素子ＯＬＥＤ４から放射された白色光は、着色部Ｂ７０及び透明部Ｔを透過する。これにより、有機ＥＬ素子ＯＬＥＤ４から放射される白色光の色度は、着色部Ｂ７０によって調整することが可能となる。このため、有機ＥＬ素子ＯＬＥＤ１乃至ＯＬＥＤ３からの放射光を合成することによって得られる白色の色度と、有機ＥＬ素子ＯＬＥＤ４の透明部Ｔ及び着色部Ｂ７０を透過した白色光の色度とを略同等に揃えることが可能となる。
【００８１】
なお、上記の本実施形態においては、いずれのカラーフィルタも対向基板に形成される例について説明したが、アレイ基板に形成されても良い。この場合、一例では、カラーフィルタは、第１絶縁基板と画素電極との間に形成され、画素電極と対向する位置に配置される。
【００８２】
以上説明したように、本実施形態によれば、表示品位を向上することが可能な表示装置を提供することができる。
【００８３】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８４】
ＡＣＴ…表示領域  Ａ１…中央領域  
ＰＵ１…第１単位画素  ＰＵ２…第２単位画素  ＰＲＰ…周辺領域
ＰＥ１…第１画素電極  ＰＥ２…第２画素電極  
ＰＥ３…第３画素電極  ＰＥ４…第４画素電極
ＣＦ１…第１カラーフィルタ  ＣＦ２…第２カラーフィルタ
ＣＦ３…第３カラーフィルタ
Ｂ１、Ｂ２、Ｂ１１、Ｂ１２、Ｂ２０、Ｂ３０、Ｂ３１、Ｂ４１、Ｂ４２、Ｂ５１、Ｂ５２、Ｂ６１，Ｂ６２…着色部
Ｔ…透明部  ＯＣ…オーバーコート層  
ＡＲ…第１基板  ＣＴ…第２基板  ＬＱ…液晶層  ４…配向制御部
【図１】
2017032811.tif 000003
【図２】
2017032811.tif 000004
【図３】
2017032811.tif 000005
【図４】
2017032811.tif 000006
【図５】
2017032811.tif 000007
【図６】
2017032811.tif 000008
【図７】
2017032811.tif 000009
【図８】
2017032811.tif 000010
【図９】
2017032811.tif 000011
【図１０】
2017032811.tif 000012
【図１１】
2017032811.tif 000013
【図１２】
2017032811.tif 000014
【図１３】
2017032811.tif 000015
【図１４】
2017032811.tif 000016